(57)【要約】【課題】複雑な加工が不要であり、生産効率がよく、かつ施工しやすい隙間隠しを備えた開口部装置を提供する。【解決手段】上枠１０、下枠２０、および左右の枠からなる枠体と上枠、および左右の枠の屋内側露出部分を覆う化粧額縁１１０、１２０とを備えた複合サッシであって、四辺の枠からなる枠体の室内側面において、上枠、および左右の枠にはアングル３００、３２０が設けられ、また、下枠には隙間隠し１５０が取り付けられており、隙間隠しは左右のアングルの下に横設されて構成されており、化粧額縁は、アングルを介して枠体に取り付ける。【選択図】      図２
2005036397.tif 000002
【特許請求の範囲】
【請求項１】
上枠、下枠、および左右の枠からなる枠体と前記上枠、および左右の枠の屋内側露出部分を覆う化粧額縁とを備えた複合サッシであって、
前記四辺の枠からなる枠体の室内側面において、上枠、および左右の枠にはアングルが設けられ、また、下枠には隙間隠しが取り付けられており、前記隙間隠しは前記左右のアングルの下に横設されて構成されており、
前記化粧額縁は、前記アングルを介して前記枠体に取り付けられている
ことを特徴とした開口部装置。
【請求項２】
前記隙間隠しは平坦面である上面を備え、前記隙間隠しの上面と、前記左右のアングルの下端面とが面接されて設けられている請求項１に記載の開口部装置。
【発明の詳細な説明】
【０００１】
【発明の属する技術分野】
本発明は、枠、および額縁周辺部材を備えた開口部装置に関する。
【０００２】
【従来の技術】
建物の躯体の開口部装置に取り付けられる上枠、下枠、および左右の縦枠からなる枠体に障子を備えた窓において、近年、アルミサッシ等の金属枠からなる窓枠に対して、上枠、および左右枠の室内側に樹脂部材であるアングルを設けた複合サッシ窓枠が多用されている。樹脂のアングルは金属枠よりも熱伝導率が低いため、アングルで覆うことにより、窓の断熱性の向上と室内側の結露の抑制が図られている。また、室内側の露出部分には、室内装飾としての化粧額縁が取り付けられており意匠性を向上させている。
【０００３】
また、特許文献１には、窓用サッシにおける出入り口との段差をなくすための隙間隠しが、フローリング等の床仕上げ材とほぼ同面となるように設けられた様子が開示されている。また、公知の技術として、図４に示すように、床仕上げ材に螺子留めされたアルミ材からなる隙間隠し４００の左端部４０１、および右端部が、アングル４１０、および化粧額縁４２０の下部側面４１１、４２１と当接された、縦通しの構造に取り付けられていることが知られている。
【特許文献１】特開平１１−２４１５７０号公報
【発明が解決しようとする課題】
しかし、化粧額縁の角部に外嵌されたアングルと化粧額縁とは、室内側内面において段差が生じており、当面に縦通し構造で隙間隠しを当接する場合には、隙間隠しの左右端部を段差断面の形状にあわせて切り欠くという複雑な加工を行う必要があり、手間がかかるという問題があった。
【０００４】
そこで、本発明は、複雑な加工が不要であり、生産効率がよく、かつ施工しやすい隙間隠しを備えた開口部装置を提供することを課題とする。
【０００５】
【課題を解決するための手段】
以下、本発明について説明する。なお、本発明の理解を容易にするために添付図面の参照符号を括弧書きにて付記するが、それにより本発明が図示の形態に限定されるものではない。
【０００６】
請求項１の発明は、上枠（１０）、下枠（２０）、および左右の枠（３０、４０）からなる枠体（５０）と上枠、および左右の枠の屋内側露出部分を覆う化粧額縁（１１０、１２０、１３０）とを備えた複合サッシであって、四辺の枠からなる枠体の室内側面において、上枠、および左右の枠にはアングル（３００、３２０、３３０）が設けられ、また、下枠には隙間隠し（１５０）が取り付けられており、隙間隠しは左右のアングルの下に横設されて構成されており、化粧額縁は、アングルを介して枠体に取り付けられていることを特徴とした開口部装置（２００）を提供して前記課題を解決する。
【０００７】
請求項１の発明によれば、隙間隠しの取り付けは、アングルの下に装着するのみでよく、納まりを気にすることなく簡便に行うことが可能である。
【０００８】
請求項２の発明は、隙間隠し（１５０）は平坦面である上面（１５３）を備え、隙間隠しの上面と、左右のアングルの下端面（３２０ａ）とが面接されて設けられている開口部装置（２００）を提供する。
【０００９】
請求項２の発明によれば、隙間隠し上面と、左右のアングルの下端面とは互いに平坦面であり、隙間隠しと左右のアングルの寸法を合わせて当接させるのみでよいため、加工を少なくすることが可能である。
【００１０】
本発明のこのような作用及び利得は、次に説明する実施の形態から明らかにされる。
【００１１】
【発明の実施の形態】
以下本発明を図面に示す実施形態に基づき説明する。
【００１２】
図１は、本発明に係る引き違い窓２００が閉じられているときに引き違い窓２００を室内側から正面視した該略図である。
【００１３】
引き違い窓２００は、建物（図示せず。）の所定箇所に取り付けられる枠体５０と、枠体５０に取り付けられた２枚の内障子６０、および外障子７０とが備えられている。
【００１４】
枠体５０は、本図には現れていない、上枠１０、下枠２０、右縦枠３０、および左縦枠４０によって構成されている。この枠体５０の室内側には、上枠１０、右縦枠３０、および左縦枠４０に対応するようにアングル（図２、および３参照）を介して取り付けられた上額縁１１０、右額縁１２０、および左額縁１３０が設けられている。さらに下枠２０に対応するものとして隙間隠し１５０が設けられている。上額縁１１０、および隙間隠し１５０の長手方向の左右端面は、右額縁１２０、および左額縁１３０の長手方向端部に形成された平坦面に当接されている。
【００１５】
外障子７０は、上框７１と、下框７２と、開口側に引き手部７９が設けられている左框７３と、内障子６０側の縦框である右縦框７４（この縦框７４は、下記の縦框６４と召しあっており、室外側に位置するため図１には現れていない。）と、これらの框に固定されたガラスパネル７６が形成されている。外障子７０と同様に、内障子６０には、上框６１と、下框６２と、開口側で引き手部６９が設けられている右框６３と、外障子材７０側の縦框である左框６４と、これらの框にガラスパネル６６が固定されている。
【００１６】
外障子７０と、内障子６０との召し合せ部には施錠のためのクレセント８０が内障子６０側に取り付けられている。クレセント８０を室外方向に回動させることにより、外障子７０に設けられている受座（本図には現れていない。）に施錠される。また、外障子７０、および内障子６０は、いずれも引き戸であり、開閉するにあたっては外障子７０は見付右方向へスライドされ、内障子６０は見付左方向へスライドされる。
【００１７】
図２は、図１のＩＩ−ＩＩ線に沿った縦断面図を示す。上枠１０、および下枠２０に内障子６０、および外障子７０の２枚の障子が引き違い状に建て込まれている。
外障子７０には、スペーサー８２ａ、および８２ｂを挟持した複層ガラスパネル８１ａ、および８１ｂが、グレージングチャネル８３ａ、および８３ｂを介して取り付けられている。また、外障子７０と同様に、内障子６０においても、スペーサー８２ｃ、および８２ｄを挟持した複層ガラスパネル８１ｃ、および８１ｄが、グレージングチャネル８３ｃ、および８３ｄを介して取り付けられている。
【００１８】
また、下枠２０には段構造となるように室外側に形成され、外障子７０に対応するレール９１ａと、室内側に形成され、内障子６０に対応するレール９１ｂとが設けられている。レール９１ａ、および９１ｂには、外障子７０、および内障子６０の、下框７２の内部に設けられた滑車９０ａ、および下框６２の内部に設けられた滑車９０ｂが移動可能となるように載設されており、それぞれ戸先側から開閉可能となっている。滑車９０ａ、および９０ｂの室内側、室外側両面がレール９１ａ、および９１ｂを被嵌しており、外障子７０、および内障子６０は脱輪されることなくスムーズに開閉される。
【００１９】
さらに、外障子７０の上框７１、および内障子６０の上框６１のそれぞれに、戸当たり部７１ａと、戸当たり部６１ａとが設けられている。この戸当たり部７１ａ、および６１ａは、レール９１ａ、および９１ｂと同一平面上に形成されている。戸当たり部７１ａ、および６１ａは、上枠１０から下方向に突出されて形成された突片１０ａ、および１０ｂが隙間なく嵌入されており、外障子７０、および内障子６０のガタツキが規制されている。
【００２０】
外障子７０の上框７１の室内側面７１ｂは、上下が僅かに短く切断されており、上下端部の突片に樹脂材等からなる化粧部材３５０を嵌合によって装着し、意匠性を高めている。また、下框７２においても、室内側面７１ｃは、上下が僅かに短く切断されており、上下端部の突片に樹脂材等からなる化粧部材３５１が設けられている。同様に、内障６０の上框６１の室内側面６１ｂ、および下框６２の室内側面６１ｃは、上下が僅かに短く切断されており、上下端部の突片に樹脂材等からなる化粧部材３５２、および３５３を嵌合することによって取り付け、意匠性を高めている。下記において詳述するが、外障子７０の左框７３、および内障子６０の召し合せ框である左框６４、および右框６３にも化粧部材を施すことにより、外障子７０、および内障子６０の室内側は、開閉時のいずれの場合においても框全体が化粧部材（３５２、および３５３等）で覆われる。よって額縁１１０〜１３０の装飾の施された枠体１５０との調和が保たれるようになる。
【００２１】
上枠１０に形成された室内側の突部１０ｂには、突部１０ｂの下端部に嵌合され、室内面側に密着するよう第一装着面３０１が設けられた上アングル３００が取り付けられている。さらに上アングル３００は、第一装着面３０１上端が室内方向に略９０度折り曲げられた第一固定面３０２を備えており、ねじ３０２ａによって上枠１０、および躯体の壁面Ｗに固定されている。第一固定面３０２の室内側端部は、さらに下方向に略９０度折り曲げられた第二装着面３０３が設けられており、上額縁１１０の室外側端面１１０ａに当接されている。第二装着面３０３の下端部は、さらに室内側方向に略９０度折り曲げられた第二固定面３０４が設けられており、ねじ３０４ａによって上額縁１１０の高さに合わせて固定されている。
【００２２】
このように上アングル３００は上枠１０と、壁Ｗと、上額縁１１０との構成に対して納まりのよい形状に形成されている。
【００２３】
本引き違い窓２００は、左右額縁１２０〜１３０の接続部品であるアングル３１０〜３３０（図２、および下記３参照）と、隙間隠し１５０に最大の特徴を有している。以下、本図２、および図３を参照しつつ、その構造を詳述する。
【００２４】
下枠２０には、室内側に立ち上がり片２１が設けられており、先端部が上方へ突出されている。立ち上がり片２１には、上端部に覆いかぶさり、先端部がわずかに室外側に突出されるように形成された隙間隠し１５０が取り付けられている。隙間隠し１５０は、床仕上げ材Ｆに対して垂直に設けられた立ち上がり片２１の室内側側面２１ａに密着されている第一当接面１５１と、床仕上げ材Ｆに密着するように形成された第二当接面１５２が設けられている。床仕上げ材Ｆに対しては、第二当接面１５２の上面からねじ１５２ａによって隙間隠し１５０が固定されている。さらに隙間隠し１５０には床材Ｆと平行に、第一当接面１５１から室内側に延設された設置面１５３と、設置面１５３から略９０度に緩やかに下方に折り返されて下端部が第二当接面１５２に合流する室内面１５４が設けられている。これらの面１５１〜１５４によって、隙間隠し１５０は略直方体形状をなしている。
【００２５】
設置面１５３の室外側先端部には、水引き防止構造である突片１５７が設けられている。立ち上がり片２１の上端面より僅かに上の位置から室外側へひさし状に突出されており、室内面に生じた結露を溜めない構造に設けられている。
【００２６】
隙間隠し１５０の上面右端部に当接されている右アングル３２０は、上記のとおり右額縁１２０に取り付けられている（下記に取り付け方法を詳述する。）。右アングル３２０の下端面３２０ａは平坦面となるように切断されており、下端面３２０ａが隙間隠し１５０の設置面１５３に当接されるよう設けられている。すなわち、右アングル３２０は、隙間隠し１５０における床材Ｆから設置面１５３までの高さＨの分下部が切断され、隙間なく設置面１５３に当接するように形成された、右アングル３２０への隙間隠し１５０の横通し構成とされている。
【００２７】
図３は、図１のＩＩＩ−ＩＩＩ線に沿った横断面図を示す。内障子６０の右框６３の戸先側には、着接部１６０が設けられている。着接部１６０は、内障子６０が閉じられた状態にあっては、右枠３０の室内側面に形成された接着片１６１に接着されるように設けられており、気密性が保たれている。接着片１６１は、右枠３０から内面方向に垂直に伸張され、僅かに室外側に折れ曲げられたのち再び内面方向に延設された形状に設けられている。また、接着片１６１の室外側に折れ曲げられた位置には嵌合部１６２が形成されている。嵌合部１６２には右アングル３２０の室外側先端部が嵌着されている。右アングル３２０には、右アングル３２０の室外側先端部から室内側方向に向かって内面方向に湾曲されて伸張された湾曲面３２１が設けられており、右框６９の戸先端部に設けられたクッション部材１６４の先端部と圧着可能に戸当たり良く備えられている。湾曲面３２１からは、枠体３０の内面３１に密着されるよう伸張された伸張面３２２が延設されており、伸張面３２２から螺入されたねじ３２２ａによって壁Ｗに固定可能となるよう形成されている。伸張面３２２の先端には切り欠き部３２３が備えられており、内面３１の室外側先端の係止部３１ａに係合される。係止部３１ａは、室内側方向に僅かに突出された突起形状であり、右アングル３２０に形成された切り欠き部３２３と係合されることによって右アングル３２０を枠体３０に固定するよう形成されている。
【００２８】
右アングル３２０は、さらに切り欠き部３２２から内面方向に延設され、室内面側に第一当接面３３４が形成されている。また第一当接面３３４は、所定の位置で端部が室内側に折り曲げられて、第二当接面３３５が形成されている。
【００２９】
第一当接面３３４、および第二当接面３３５には、第一当接面３３４、および第二当接面３３５に当接するように右額縁１２０が跨着されており、第二当接面３３５から螺入されるねじ３３５ａによって、右額縁１２０は右アングル３２０に固定されている。
【００３０】
上記のとおり、右アングル３２０が枠体３０と、内障子６０と、壁Ｗとが組み合う戸先側において、隙間を利用して右アングル３２０が設けられており、意匠性にも優れている。
【００３１】
また、左枠４０の内面には、左アングル３３０が設けられている。左枠４０からは、鉤部３３６が端部を室内方向に曲げられた鉤形状で設けられている。鉤部３３６には、左アングル３３０に形成された、かえし部３３７によって抜け止めされている。その他の左アングル３３０の形状、および機能は上記右アングル３２０と同様であるため枠体４０への固定方法の説明を省略する。
【００３２】
外障子７０の左框７３の室内面７３ｂには嵌合部７３ｃ〜７３ｆが形成されており、これらの嵌合部７３ｃ〜７３ｆに化粧部材３５４が嵌合、もしくは抜け止めされることによって嵌着されている。また、内障子６０の召し合せ框である左框６４の室内面６４ｂ、およびクレセント８０の取り付け面６４ｃには嵌合部６４ｄ〜６４ｈが形成されており、これらの嵌合部６４ｄ〜６４ｈに化粧部材３５５が嵌合、もしくは抜け止めされることによって嵌着されている。さらに戸先框である右框６３の室内面６３ｂには、嵌合部６３ｃ、および６３ｄが形成されており、これらの嵌合部６３ｃ、および６３ｄに化粧部材３５６が嵌合、もしくは抜け止めされることによって嵌着されている。外障子７０、および内障子６０において、クレセント取り付け面６４を含め、外観にさられる部材にはすべて化粧部材３５０〜３５６を施すことによって、意匠上、高級感を高めることが可能となる。また、左アングル３３０においては、外障子７０から左額縁１３０までに内障子６０の幅分だけ空間があり、この空間を装飾するために上記のとおり右アングル３２０より左アングル３３０が大きく形成されている。従って、開口部装置２００を室内側から見た際、枠体５０、外障子７０、および内障子６０をはじめ諸部にまで装飾が施されていることにより、一体感が高められている。
【００３３】
また、下枠２０（本図には現れていない。）には、隙間隠し１５０が取り付けられており、上記のとおり横通しとなるように右アングル３２０、および左アングル３３０の下面に当接されている。本図において隙間隠し１５０は、矢印Ｌで示した長さに設けられており、右アングル３２０、および左アングル３３０の下面が隙間隠し１５０の上面に当接された構造に設けられている。
【００３４】
隙間隠し１５０の左端面１５５、および右端面１５６は床に対して垂直に切断されており、本図に示すように左額縁１３０、および右額縁１２０の内平坦面に当接されている。
【００３５】
本実施例に示された開口部装置は、主な構成部材の一部として、アルミ材からなるアルミの押出し形材にて成型されたアルミ枠５０と、樹脂材からなる上アングル３００、右アングル３２０、および左アングル３３０と、樹脂材からなる隙間隠し１５０が設けられている。樹脂材は塩化ビニルやアクリル樹脂等から押出成型することによりアングル、もしくは隙間隠しに加工がなされる。樹脂材には木材粉等を混入させて外観上、木材で形成されているようにみせることも可能である。アルミ枠５０は熱伝導率が高いため、外気温に対して断熱効果を持たせるための上記化粧額縁１１０〜１３０を取り付けるアングル３００〜３３０が、樹脂材によって成型されて設けられている。本発明においては、右アングル３２０、および左アングル３３０に対して隙間隠し１５０は横通しされるため、隙間隠し１５０の内面に右アングル３２０、および左アングル３３０の切断面形状の切り欠きを設ける必要がない。従って、隙間隠し１５０の加工は左右端面１５５、および１５６を垂直に切断するだけでよく、生産効率に優れているとともに、加工性においても優れている。
【００３６】
隙間隠し１５０は断熱効果、および室内装飾との調和を図る目的において樹脂材にて成型されているが、樹脂材は熱膨張率が高いため温度変化によって仕上がり寸法に違いが生じる。本実施例における隙間隠し１５０においては長手方向に１ｃｍ程度の誤差が生じることがある。従って、工場にて施工枠の寸法より長めに設け、実際の施工現場において右アングル３２０、および左アングル３３０の幅に合わせて切りそろえる施工方法が推奨されている。施工に際して、隙間隠し１５０の加工性の良さを利用すれば、左右端部を切断するのみでよいため、開口部装置２００を簡便、かつ作業時間を短縮して設けることが可能となる。
【００３７】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴う開口部装置もまた本発明の技術的範囲に包含されるものとして理解されなければならない。
【００３８】
【発明の効果】
以上に説明したように、請求項１の発明によれば、隙間隠しの取り付けは、アングルの下に装着するのみでよく、納まりを気にすることなく簡便に行うことが可能となる。
【００３９】
また、請求項２の発明によれば、隙間隠し上面と、左右のアングルの下端面とは互いに平坦面であり、隙間隠しと左右のアングルの寸法を合わせて当接させるのみでよいため、加工を少なくすることが可能となる。
【図面の簡単な説明】
【図１】引き違い窓を室内側から正面視した該略図である。
【図２】図１におけるＩＩ−ＩＩ線に沿った縦断面図である。
【図３】図１におけるＩＩＩ−ＩＩＩ線に沿った横断面図である。
【図４】従来例を示す図である。
【符号の説明】
１０  上枠
２０  下枠
３０  右枠
４０  左枠
５０  枠体
１１０  化粧額縁
１２０  化粧額縁
１３０  化粧額縁
１５０  隙間隠し
１５３  設置面（上面）
２００  開口部装置
３００  上アングル
３２０  右アングル
３２０ａ  下端面
３３０  左アングル
【図１】
2005036397.tif 000003
【図２】
2005036397.tif 000004
【図３】
2005036397.tif 000005
【図４】
2005036397.tif 000006